(57)【特許請求の範囲】
【請求項１】
光源からの光を測定光と参照光とに分割し、前記測定光を被検眼に入射させ、前記被検眼からの前記測定光の戻り光と前記参照光との干渉光を検出する干渉光学系と、
前記干渉光学系による前記干渉光の検出結果に基づいて前記被検眼の画像を形成する画像形成部と、
を含み、
前記干渉光学系は、前記光源からの光または前記測定光を、前記画像形成部による画像形成処理に供される第１波長帯の測定光と、前記第１波長帯以外の第２波長帯の測定光とに分割するための波長分割部材を含み、前記第１波長帯のみを含む前記測定光を前記被検眼に入射させ、
前記第２波長帯の測定光の光量を監視する監視部を含む
眼科撮影装置。
【請求項２】
前記監視部からの出力に基づいて報知を行う報知部を含む
ことを特徴とする請求項１に記載の眼科撮影装置。
【請求項３】
前記監視部からの出力に基づいて前記被検眼に対する前記測定光の入射を停止させる制御部を含む
ことを特徴とする請求項１または請求項２に記載の眼科撮影装置。
【請求項４】
前記監視部からの出力に基づいて前記光源を制御する制御部を含む
ことを特徴とする請求項１または請求項２に記載の眼科撮影装置。
【請求項５】
光源からの光を被検眼に入射させ、前記被検眼からの戻り光を検出する光学系と、
前記光学系による前記戻り光の検出結果に基づいて前記被検眼に関する情報を生成する情報生成部と、
を含み、
前記光学系は、前記光源からの光を、前記情報生成部による情報生成処理に供される第１波長帯の光と、前記第１波長帯以外の第２波長帯の光とに分割するための波長分割部材を含み、前記第１波長帯のみを含む前記光を前記被検眼に入射させ、
前記第２波長帯の光を監視する監視部を含む
眼科装置。
【発明の詳細な説明】
【技術分野】
【０００１】
この発明は、眼科撮影装置および眼科装置に関する。
【背景技術】
【０００２】
近年、レーザ光源等からの光ビームを用いて被測定物体の表面形態や内部形態を表す画像を形成するＯＣＴ（Ｏｐｔｉｃａｌ  Ｃｏｈｅｒｅｎｃｅ  Ｔｏｍｏｇｒａｐｈｙ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。たとえば眼科分野においては、眼底や角膜等の画像を形成する装置が実用化されている。
【０００３】
特許文献１には、いわゆるフーリエドメインＯＣＴ（Ｆｏｕｒｉｅｒ  Ｄｏｍａｉｎ  ＯＣＴ）の手法を用いた装置が開示されている。すなわち、この装置は、被測定物体に対して低コヒーレンス光のビームを照射し、その反射光と参照光とを重ね合わせて干渉光を生成し、この干渉光のスペクトル強度分布を取得してフーリエ変換を施すことにより被測定物体の深度方向（ｚ方向）の形態を画像化するものである。更に、この装置は、光ビーム（測定光）をｚ方向に直交する１方向（ｘ方向）に走査するガルバノミラーを備え、それにより被測定物体の所望の測定対象領域の画像を形成するようになっている。この装置により形成される画像は、光ビームの走査方向（ｘ方向）に沿った深度方向（ｚ方向）の２次元断層画像となる。なお、この手法は、特にスペクトラルドメイン（Ｓｐｅｃｔｒａｌ  Ｄｏｍａｉｎ）とも呼ばれる。
【０００４】
特許文献２には、測定光を水平方向（ｘ方向）および垂直方向（ｙ方向）に走査（スキャン）することにより水平方向の２次元断層画像を複数形成し、これら複数の断層画像に基づいて測定範囲の３次元の断層情報を取得して画像化する技術が開示されている。この３次元画像化技術としては、たとえば、複数の断層画像を並べて表示させる方法（スタックデータなどと呼ばれる）や、スタックデータに基づきボリュームデータ（ボクセルデータ）を生成し、このボリュームデータにレンダリング処理を施して３次元画像を形成する方法などがある。
【０００５】
特許文献３、４には、他のタイプのＯＣＴ装置が開示されている。特許文献３には、被測定物体に照射される光の波長を走査（波長掃引）し、各波長の光の反射光と参照光とを重ね合わせて得られる干渉光を検出してスペクトル強度分布を取得し、それに対してフーリエ変換を施すことにより被測定物体の形態を画像化する装置が記載されている。このような装置は、スウェプトソース（Ｓｗｅｐｔ  Ｓｏｕｒｃｅ）タイプなどと呼ばれる。スウェプトソースタイプはフーリエドメインタイプの一種である。
【０００６】
また、特許文献４には、所定のビーム径を有する光を被測定物体に照射し、その反射光と参照光とを重ね合わせて得られる干渉光の成分を解析することにより、光の進行方向に直交する断面における被測定物体の画像を形成するＯＣＴ装置が記載されている。このようなＯＣＴ装置は、フルフィールド（ｆｕｌｌ−ｆｉｅｌｄ）タイプ、或いはインファス（ｅｎ−ｆａｃｅ）タイプなどと呼ばれる。
【０００７】
特許文献５には、ＯＣＴを眼科分野に適用した構成が開示されている。なお、ＯＣＴが応用される以前には、被検眼を観察するための装置として眼底カメラ、スリットランプ、ＳＬＯなどが使用されていた。眼底カメラは被検眼に照明光を照射し、その眼底反射光を受光することで眼底を撮影する装置である。スリットランプは、スリット光を用いて角膜の光切片を切り取ることにより角膜の断面の画像を取得する装置である。ＳＬＯは、レーザ光で眼底を走査し、その反射光を光電子増倍管等の高感度な素子で検出することにより眼底表面の形態を画像化する装置である。
【０００８】
ＯＣＴを用いた装置は、高精細の画像を取得できる点、更には断層画像や３次元画像を取得できる点などにおいて、眼底カメラ等に対して優位性を持つ。
【０００９】
このように、ＯＣＴを用いた装置は被検眼の様々な部位の観察に適用可能であり、また高精細な画像を取得できることから、様々な眼科疾患の診断への応用がなされてきている。
【先行技術文献】
【特許文献】
【００１０】
【特許文献１】特開平１１−３２５８４９号公報
【特許文献２】特開２００２−１３９４２１号公報
【特許文献３】特開２００７−２４６７７号公報
【特許文献４】特開２００６−１５３８３８号公報
【特許文献５】特開２００８−７３０９９号公報
【発明の概要】
【発明が解決しようとする課題】
【００１１】
ＯＣＴを用いた眼科撮影装置により取得される画像の画質の向上には、干渉光の強度を高くすることが求められる。干渉光の強度を高くするためには、光源からの光や測定光の強度を高くする必要がある。しかしながら、被検眼の安全性を考慮して、被検眼に入射可能な測定光の光量には制限がある。たとえば、被検眼に入射する測定光の光量を監視することを目的としてファイバカプラ等の光学部材を用いて測定光を単純に分岐しただけでは、被検眼に入射する測定光の光量が低下し、画質が低下する。このように、従来の眼科撮影装置では、被検眼の安全性と画像の画質の向上との間にはトレードオフの関係があり、これらを両立させることは困難であった。
【００１２】
この発明は、このような問題を解決するためになされたものであり、その目的は、被検眼の安全性を確保しつつ、画質の向上が可能な技術を提供することにある。
【課題を解決するための手段】
【００１３】
実施形態の眼科撮影装置は、光源からの光を測定光と参照光とに分割し、測定光を被検眼に入射させ、被検眼からの測定光の戻り光と参照光との干渉光を検出する干渉光学系と、干渉光学系による干渉光の検出結果に基づいて被検眼の画像を形成する画像形成部と、を含み、干渉光学系は、光源からの光または測定光を、画像形成部による画像形成処理に供される第１波長帯の測定光と、第１波長帯以外の第２波長帯の測定光とに分割するための波長分割部材を含み、第１波長帯のみを含み光量が既定値以下の測定光を被検眼に入射させ、第２波長帯の測定光の光量を監視する監視部を含む。
【発明の効果】
【００１４】
この発明によれば、被検眼の安全性を確保しつつ、画質の向上が可能な眼科撮影装置を提供することが可能になる。
【図面の簡単な説明】
【００１５】
【図１】実施形態に係る眼科撮影装置の構成の一例を表す概略図である。
【図２】実施形態に係る眼科撮影装置の構成の一例を表す概略図である。
【図３】実施形態に係る眼科撮影装置の構成の一例を表す概略図である。
【図４】実施形態に係る眼科撮影装置の構成の一例を表す概略図である。
【図５】実施形態に係る眼科撮影装置の動作を説明するための概略図である。
【図６】実施形態に係る眼科撮影装置の構成の一例を表す概略図である。
【図７】実施形態に係る眼科撮影装置の動作を説明するための概略図である。
【図８】実施形態の変形例に係る眼科撮影装置の構成の一例を表す概略図である。
【発明を実施するための形態】
【００１６】
この発明の実施形態の一例について、図面を参照しながら詳細に説明する。この発明に係る眼科撮影装置は、光干渉断層計の機能を有し、被検眼の光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を実行する。このＯＣＴは、たとえば眼底や前眼部など、被検眼の任意の部位に対して実行される。
【００１７】
この明細書では、ＯＣＴによって取得される画像をＯＣＴ画像と総称することがある。また、この明細書において引用された文献の記載内容を、以下の実施形態の内容として援用することが可能である。
【００１８】
以下の実施形態では、フーリエドメインタイプのＯＣＴを実行可能な眼科撮影装置について説明する。特に、実施形態に係る眼科撮影装置は、スウェプトソースタイプのＯＣＴの手法を適用可能である。なお、スウェプトソースタイプ以外のタイプ、たとえばスペクトラルドメインタイプのＯＣＴを実行可能な眼科撮影装置に対して、この発明に係る構成を適用することも可能である。また、以下の実施形態ではＯＣＴ装置と眼底カメラとを組み合わせた装置について説明するが、眼底カメラ以外のモダリティ、たとえばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡、光凝固装置などに、実施形態に係る構成を有するＯＣＴ装置を組み合わせることも可能である。また、実施形態に係る構成を、単体のＯＣＴ装置に組み込むことも可能である。
【００１９】
［構成］
図１に示すように、眼科撮影装置１は、眼底カメラユニット２、ＯＣＴユニット１００および演算制御ユニット２００を含んで構成される。眼底カメラユニット２は、従来の眼底カメラとほぼ同様の光学系を有する。ＯＣＴユニット１００には、ＯＣＴを実行するための光学系が設けられている。演算制御ユニット２００は、各種の演算処理や制御処理等を実行するコンピュータを具備している。
【００２０】
〔眼底カメラユニット〕
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、たとえば、近赤外光を用いて所定のフレームレートで形成されるモノクロの動画像である。撮影画像は、たとえば、可視光をフラッシュ発光して得られるカラー画像、または近赤外光若しくは可視光を照明光として用いたモノクロの静止画像であってもよい。眼底カメラユニット２は、これら以外の画像、たとえばフルオレセイン蛍光画像やインドシアニングリーン蛍光画像や自発蛍光画像などを取得可能に構成されていてもよい。
【００２１】
眼底カメラユニット２には、被検者の顔を支持するための顎受けや額当てが設けられている。更に、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を被検眼Ｅに導くとともに、被検眼Ｅを経由した測定光をＯＣＴユニット１００に導く。
【００２２】
照明光学系１０の観察光源１１は、たとえばハロゲンランプまたはＬＥＤ（Ｌｉｇｈｔ  Ｅｍｉｔｔｉｎｇ  Ｄｉｏｄｅ）により構成される。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９およびリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。
【００２３】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。更に、この眼底反射光は、ハーフミラー３３Ａを透過し、ダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００２４】
撮影光源１５は、たとえばキセノンランプまたはＬＥＤにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置３と撮影画像を表示する表示装置３は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００２５】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ計測時などに使用される。
【００２６】
ＬＣＤ３９から出力された光は、その一部がハーフミラー３３Ａにて反射され、ミラー３２に反射され、合焦レンズ３１およびダイクロイックミラー５５を経由し、孔開きミラー２１の孔部を通過し、ダイクロイックミラー４６を透過し、対物レンズ２２により屈折されて眼底Ｅｆに投影される。ＬＣＤ３９の画面上における固視標の表示位置を変更することにより、被検眼Ｅの固視位置を変更できる。
【００２７】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、被検眼Ｅに対してフォーカス（ピント）を合わせるための指標（スプリット指標）を生成する。
【００２８】
アライメント光学系５０のＬＥＤ５１から出力された光（アライメント光）は、絞り５２、５３およびリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００２９】
アライメント光の角膜反射光は、対物レンズ２２、ダイクロイックミラー４６および上記孔部を経由し、その一部がダイクロイックミラー５５を透過し、合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００３０】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投影される。
【００３１】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１およびフォーカス光学系６０を移動させてピント合わせを行う（オートフォーカス機能）。また、スプリット指標を視認しつつ手動でピント合わせを行ってもよい。
【００３２】
ダイクロイックミラー４６は、眼底撮影用の光路からＯＣＴ用の光路を分岐させている。ダイクロイックミラー４６は、ＯＣＴに用いられる波長帯の光を反射し、眼底撮影用の光を透過させる。このＯＣＴ用の光路には、ＯＣＴユニット１００側から順に、コリメータレンズユニット４０と、波長分割部材４７と、光路長変更部４１と、光スキャナ４２と、合焦レンズ４３と、ミラー４４と、リレーレンズ４５とが設けられている。波長分割部材４７は、ＯＣＴ用の光路からモニタ用の光路を分岐させている。モニタ用の光路には、検出部４８が設けられている。
【００３３】
波長分割部材４７は、測定光の光路に配置され、ＯＣＴユニット１００において生成された測定光のうち、後述の画像形成部２２０による画像形成処理に供される第１波長帯と、第１波長帯以外の第２波長帯とに分割し、第１波長帯の測定光を透過させる。第１波長帯または第２波長帯は、１以上の波長範囲を含むことが可能である。以下では、測定光の波長帯のうち画像形成処理に供される１つの波長範囲を第１波長帯とし、測定光の波長帯のうち第１波長帯の両側の２つの波長範囲を第２波長帯として説明する。この実施形態では、波長分割部材４７は、コリメータレンズユニット４０と光スキャナ４２との間の測定光の光路上の瞳位置に配置される。このような波長分割部材４７は、１以上の波長選択部材により構成することが可能である。なお、波長分割部材４７は、後述の光源ユニット１０１に含まれる光源からの光の光路に配置され、光源からの光を上記のような第１波長帯と第２波長帯とに分割するようにしてもよい。
【００３４】
検出部４８は、波長分割部材４７により分割されたモニタ用の光路に配置され、波長分割部材４７により分割された第２波長帯の測定光の光量を検出する。すなわち、検出部４８は、画像形成処理に供されない波長帯に測定光の光量を検出する。このような検出部４８は、１以上の光検出器により構成することが可能である。
【００３５】
図２に、波長分割部材４７および検出部４８の構成例を示す。図２では、波長分割部材４７および検出部４８に加えてコリメータレンズユニット４０および光路長変更部４１が図示されている。図２において、図１と同様の部分には同一符号を付し、適宜説明を省略する。
【００３６】
波長分割部材４７は、たとえば、第１波長選択部材４７１と、第２波長選択部材４７２とを含んで構成される。検出部４８は、たとえば、第１光検出器４８１と、第２光検出器４８２とを含んで構成される。なお、検出部４８は、第１光検出器４８１および第２光検出器４８２の一方だけで構成されていてもよい。この場合、波長分割部材４７を構成する第１波長選択部材４７１および第２波長選択部材４７２の一方は、ハイパスフィルタまたはローパスフィルタであってもよい。また、第１光検出器４８１および第２光検出器４８２の一方が、光量以外の物理量（たとえば、偏光状態）などの検出に用いられてもよい。
【００３７】
第１波長帯の波長範囲がλ１〜λ２（λ１＜λ２）である場合、第１波長選択部材４７１は、波長λ１以上の波長範囲の測定光を反射させ、それ以外の波長範囲（波長λ１未満の波長範囲）の測定光を透過させる。また、第２波長選択部材４７２は、波長λ２以下の波長範囲の測定光を反射させ、それ以外の波長範囲（波長λ２を超える波長範囲）の測定光を透過させる。このような第１波長選択部材４７１や第２波長選択部材４７２の一例として、ダイクロイックミラーなどがある。
【００３８】
第１光検出器４８１は、第１波長選択部材４７１を透過した測定光の光量を検出する。第２光検出器４８２は、第２波長選択部材４７２を透過した測定光の光量を検出する。このような第１光検出器４８１や第２光検出器４８２の一例として、フォトダイオードなどがある。
【００３９】
ＯＣＴユニット１００により生成された測定光は、コリメータレンズユニット４０により平行光とされる。平行光とされた測定光は、第１波長選択部材４７１により波長λ１以上の波長範囲の測定光と波長λ１未満の波長範囲の測定光とに分割される。波長λ１以上の波長範囲の測定光は第１波長選択部材４７１により反射され、波長λ１未満の波長範囲の測定光は第１波長選択部材４７１を透過する。第１波長選択部材４７１を透過した波長λ１未満の波長範囲の測定光は、第１光検出器４８１に導かれる。第１光検出器４８１は、波長λ１未満の波長範囲の測定光の光量を検出する。波長λ１以上の波長範囲の測定光は、第２波長選択部材４７２に導かれる。
【００４０】
波長λ１以上の波長範囲の測定光は、第２波長選択部材４７２により波長λ２を超える波長範囲の測定光と波長λ２以下の波長範囲の測定光とに分割される。波長λ２以下の波長範囲の測定光は第２波長選択部材４７２により反射され、波長λ２を超える波長範囲の測定光は第２波長選択部材４７２を透過する。第２波長選択部材４７２を透過した波長λ２を超える波長範囲の測定光は、第２光検出器４８２に導かれる。第２光検出器４８２は、波長λ２を超える波長範囲の測定光の光量を検出する。波長λ２以下の波長範囲の測定光は、波長λ１以上で波長λ２以下の波長範囲である第１波長帯の測定光として光路長変更部４１に導かれる。
【００４１】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、たとえばコーナーキューブと、これを移動する機構とを含んで構成される。
【００４２】
光スキャナ４２は、被検眼Ｅの瞳孔と光学的に共役な位置に配置されている。光スキャナ４２は、ＯＣＴ用の光路を通過する光（測定光ＬＳ）の進行方向を変更する。それにより、被検眼Ｅを測定光ＬＳでスキャンすることができる。光スキャナ４２は、たとえば、測定光ＬＳをｘ方向にスキャンするガルバノミラーと、ｙ方向にスキャンするガルバノミラーと、これらを独立に駆動する機構とを含んで構成される。それにより、測定光ＬＳをｘｙ平面上の任意の方向にスキャンすることができる。
【００４３】
〔ＯＣＴユニット〕
ＯＣＴユニット１００の構成の一例を図３に示す。ＯＣＴユニット１００には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号であり、演算制御ユニット２００に送られる。
【００４４】
光源ユニット１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザ光源を含んで構成される。光源ユニット１０１は、人眼では視認できない近赤外の波長帯において、出力波長を時間的に変化させる。
【００４５】
光源ユニット１０１から出力された光Ｌ０は、光ファイバ１０２により偏波コントローラ１０３に導かれてその偏光状態が調整される。偏波コントローラ１０３は、たとえばループ状にされた光ファイバ１０２に対して外部から応力を与えることで、光ファイバ１０２内を導かれる光Ｌ０の偏光状態を調整する。
【００４６】
偏波コントローラ１０３により偏光状態が調整された光Ｌ０は、光ファイバ１０４によりファイバカプラ１０５に導かれて測定光ＬＳと参照光ＬＲとに分割される。
【００４７】
参照光ＬＲは、光ファイバ１１０によりコリメータ１１１に導かれて平行光束となる。平行光束となった参照光ＬＲは、光路長補正部材１１２および分散補償部材１１３を経由し、コーナーキューブ１１４に導かれる。光路長補正部材１１２は、参照光ＬＲの光路長（光学距離）と測定光ＬＳの光路長とを合わせるための遅延手段として作用する。分散補償部材１１３は、参照光ＬＲと測定光ＬＳとの間の分散特性を合わせるための分散補償手段として作用する。
【００４８】
コーナーキューブ１１４は、コリメータ１１１により平行光束となった参照光ＬＲの進行方向を逆方向に折り返す。コーナーキューブ１１４に入射する参照光ＬＲの光路と、コーナーキューブ１１４から出射する参照光ＬＲの光路とは平行である。また、コーナーキューブ１１４は、参照光ＬＲの入射光路および出射光路に沿う方向に移動可能とされている。この移動により参照光ＬＲの光路の長さが変更される。
【００４９】
なお、図１および図３に示す構成においては、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、これらのうちのいずれか一方が設けられていてもよい。また、これら以外の光学部材を用いて、測定光路長と参照光路長との差を変更することも可能である。
【００５０】
コーナーキューブ１１４を経由した参照光ＬＲは、分散補償部材１１３および光路長補正部材１１２を経由し、コリメータ１１６によって平行光束から集束光束に変換されて光ファイバ１１７に入射し、偏波コントローラ１１８に導かれて参照光ＬＲの偏光状態が調整される。
【００５１】
偏波コントローラ１１８は、たとえば、偏波コントローラ１０３と同様の構成を有する。偏波コントローラ１１８により偏光状態が調整された参照光ＬＲは、光ファイバ１１９によりアッテネータ１２０に導かれて、演算制御ユニット２００の制御の下で光量が調整される。アッテネータ１２０により光量が調整された参照光ＬＲは、光ファイバ１２１によりファイバカプラ１２２に導かれる。
【００５２】
一方、ファイバカプラ１０５により生成された測定光ＬＳは、光ファイバ１２７により導かれ、コリメータレンズユニット４０により平行光束とされる。平行光束にされた測定光ＬＳは、波長分割部材４７、光路長変更部４１、光スキャナ４２、合焦レンズ４３、ミラー４４、およびリレーレンズ４５を経由してダイクロイックミラー４６に到達する。そして、測定光ＬＳは、ダイクロイックミラー４６により反射され、対物レンズ２２により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００５３】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（たとえば１：１）で、測定光ＬＳと参照光ＬＲとの干渉光を分岐することにより、一対の干渉光ＬＣを生成する。ファイバカプラ１２２から出射した一対の干渉光ＬＣは、それぞれ光ファイバ１２３、１２４により検出器１２５に導かれる。
【００５４】
検出器１２５は、たとえば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（検出信号）をＤＡＱ（Ｄａｔａ  Ａｃｑｕｉｓｉｔｉｏｎ  Ｓｙｓｔｅｍ）１３０に送る。ＤＡＱ１３０には、光源ユニット１０１からクロックＫＣが供給される。クロックＫＣは、光源ユニット１０１において、波長掃引型光源により所定の波長範囲内で掃引（走査）される各波長の出力タイミングに同期して生成される。光源ユニット１０１は、たとえば、各出力波長の光Ｌ０を分岐することにより得られた２つの分岐光の一方を光学的に遅延させた後、これらの合成光を検出した結果に基づいてクロックＫＣを生成する。ＤＡＱ１３０は、クロックＫＣに基づき、検出器１２５の検出結果をサンプリングする。ＤＡＱ１３０は、サンプリングされた検出器１２５の検出結果を演算制御ユニット２００に送る。演算制御ユニット２００は、たとえば一連の波長走査毎に（Ａライン毎に）、検出器１２５により得られた検出結果に基づくスペクトル分布にフーリエ変換等を施すことにより、各Ａラインにおける反射強度プロファイルを形成する。更に、演算制御ユニット２００は、各Ａラインの反射強度プロファイルを画像化することにより画像データを形成する。
【００５５】
〔演算制御ユニット〕
演算制御ユニット２００の構成について説明する。演算制御ユニット２００は、検出器１２５から入力される検出信号を解析して被検眼ＥのＯＣＴ画像を形成する。そのための演算処理は、従来のスウェプトソースタイプのＯＣＴ装置と同様である。
【００５６】
また、演算制御ユニット２００は、眼底カメラユニット２、表示装置３およびＯＣＴユニット１００の各部を制御する。たとえば演算制御ユニット２００は、被検眼ＥのＯＣＴ画像を表示装置３に表示させる。
【００５７】
演算制御ユニット２００は、たとえば、従来のコンピュータと同様に、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含んで構成される。ハードディスクドライブ等の記憶装置には、眼科撮影装置１を制御するためのコンピュータプログラムが記憶されている。演算制御ユニット２００は、各種の回路基板、たとえばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００５８】
〔制御系〕
眼科撮影装置１の制御系の構成について図４を参照しつつ説明する。なお、図４においては、眼科撮影装置１のいくつかの構成要素が省略されており、この実施形態を説明するために特に必要な構成要素が選択的に示されている。
【００５９】
（制御部）
眼科撮影装置１の制御系は、制御部２１０を中心に構成される。制御部２１０は、たとえば、マイクロプロセッサ、ＲＡＭ、ＲＯＭ、ハードディスクドライブ、通信インターフェイス等を含んで構成される。制御部２１０には、主制御部２１１と記憶部２１２が設けられている。
【００６０】
（主制御部）
主制御部２１１は前述の各種制御を行う。特に、図４に示すように、主制御部２１１は、眼底カメラユニット２の撮影合焦駆動部３１Ａ、ＣＣＤイメージセンサ３５および３８、ＬＣＤ３９、光路長変更部４１、光スキャナ４２、ＯＣＴ合焦駆動部４３Ａおよび検出部４８、並びに、ＯＣＴユニット１００の光源ユニット１０１、参照駆動部１１４Ａ、検出器１２５およびＤＡＱ１３０などを制御する。
【００６１】
撮影合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることができる。この制御は、アライメントやトラッキングにおいて用いられる。トラッキングとは、被検眼Ｅの運動に合わせて装置光学系を移動させるものである。トラッキングを行う場合には、事前にアライメントとピント合わせが実行される。トラッキングは、被検眼Ｅを動画撮影して得られる画像に基づき被検眼Ｅの位置や向きに合わせて装置光学系をリアルタイムで移動させることにより、アライメントとピントが合った好適な位置関係を維持する機能である。
【００６２】
ＯＣＴ合焦駆動部４３Ａは、測定光路の光軸に沿って合焦レンズ４３を移動させる。それにより、測定光ＬＳの合焦位置が変更される。測定光ＬＳの合焦位置は、測定光ＬＳのビームウェストの深さ位置（ｚ位置）に相当する。
【００６３】
参照駆動部１１４Ａは、参照光路に設けられたコーナーキューブ１１４を移動させる。それにより、参照光路の長さが変更される。なお、前述したように、光路長変更部４１と、コーナーキューブ１１４および参照駆動部１１４Ａとのいずれか一方のみが設けられた構成であってもよい。
【００６４】
図４に示すように、主制御部２１１は、監視部２１１１を有する。
【００６５】
（監視部）
監視部２１１１は、検出部４８による検出結果に基づいて、波長分割部材４７により分割された第２波長帯の測定光の光量を監視する。具体的には、監視部２１１１は、波長分割部材４７により分割された、波長λ１未満の波長範囲の測定光の光量および波長λ２を超える波長範囲の測定光の光量を監視する。ＯＣＴユニット１００において生成された全波長帯の測定光の光量は既知の光量とすることが可能であるため、第２波長帯の測定光の光量を検出することにより第１波長帯の測定光の光量を正確に推定することが可能である。従って、監視部２１１１により第２波長帯の測定光の光量を監視することで、第１波長帯の測定光の光量を監視することが可能になる。
【００６６】
たとえば、監視部２１１１は、第１光検出器４８１により検出された波長λ１未満の波長範囲の測定光の光量と第２光検出器４８２により検出された波長λ２を超える波長範囲の測定光の光量とを加算することで、第２波長帯の測定光の光量を求めることが可能である。監視部２１１１は、求められた第２波長帯の測定光の光量とあらかじめ決められた閾値とを比較し、比較結果を生成する。主制御部２１１は、監視部２１１１による比較結果に基づき第２波長帯の測定光の光量が上記の閾値以上であると判別されたとき、被検眼Ｅに入射する測定光の光量が多いと判断し、後述の報知部２５０に報知情報を出力させたり、被検眼Ｅに対する測定光の入射を停止させたりすることができる。測定光の入射を停止させる場合、光源ユニット１０１が波長掃引型光源からの光の光路に対して挿入可能に構成されたシャッター部材を備え、主制御部２１１は、監視部２１１１からの出力（監視結果）に基づいてシャッター部材を当該光の光路に挿入させることで測定光の入射を停止させることが可能である。また、主制御部２１１は、監視部２１１１からの出力に基づいて、光源ユニット１０１が有する波長掃引型光源を制御するようにしてもよい。この場合、主制御部２１１は、たとえば、監視部２１１１からの出力に基づいて、波長掃引型光源からの光の光量を調整（低減）することが可能である。
【００６７】
なお、監視部２１１１は、第１光検出器４８１により検出された波長λ１未満の波長範囲の測定光の光量と第２光検出器４８２により検出された波長λ２を超える波長範囲の測定光の光量とを重み付けして得られた光量を第２波長帯の測定光の光量として求めてもよい。
【００６８】
また、監視部２１１１は、波長λ１未満の波長範囲の測定光の光量について第１閾値を設け、波長λ２を超える波長範囲の測定光の光量について第２閾値を設けてもよい。たとえば、監視部２１１１は、波長λ１未満の波長範囲の測定光の光量と第１閾値とを比較するとともに波長λ２を超える波長範囲の測定光の光量と第２閾値とを比較し、これら２つの比較結果の双方または一方に基づいて、被検眼Ｅに入射する測定光の光量が多いか否かを判断するようにしてもよい。或いは、波長λ１未満の波長範囲の測定光の光量および波長λ２を超える波長範囲の測定光の光量のいずれかと第２閾値とを比較し、双方の比較結果に基づいて、被検眼Ｅに入射する測定光の光量が多いか否かを判断するようにしてもよい。或いは、監視部２１１１は、波長λ１未満の波長範囲の測定光の光量または波長λ２を超える波長範囲の測定光の光量の一方と閾値との比較結果に基づいて、被検眼Ｅに入射する測定光の光量が多いか否かを判断するようにしてもよい。
【００６９】
（記憶部）
記憶部２１２は、各種のデータを記憶する。記憶部２１２に記憶されるデータとしては、たとえば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科撮影装置１を動作させるための各種プログラムやデータが記憶されている。
【００７０】
（画像形成部）
画像形成部２２０は、検出器１２５（ＤＡＱ１３０）からの検出信号に基づいて、眼底Ｅｆの断面像の画像データを形成する。すなわち、画像形成部２２０は、干渉光学系による干渉光ＬＣの検出結果に基づいて被検眼Ｅの画像データを形成する。この処理には、従来のスウェプトソースタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００７１】
画質を向上させるために、同じパターンでのスキャンを複数回繰り返して収集された複数のデータセットを重ね合わせる（加算平均する）ことができる。
【００７２】
画像形成部２２０は、たとえば、前述の回路基板を含んで構成される。なお、この明細書では、「画像データ」と、それに基づく「画像」とを同一視することがある。また、被検眼Ｅの部位とその画像とを同一視することもある。
【００７３】
（データ処理部）
データ処理部２３０は、画像形成部２２０により形成されたＯＣＴ画像に対して各種のデータ処理（画像処理）や解析処理を施す。たとえば、データ処理部２３０は、画像の輝度補正や分散補正等の補正処理を実行する。また、データ処理部２３０は、眼底カメラユニット２により得られた画像（眼底像、前眼部像等）に対して各種の画像処理や解析処理を施す。
【００７４】
データ処理部２３０は、断面像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２３０は、このボリュームデータに対してレンダリング処理を施して、特定の視線方向から見たときの擬似的な３次元画像を形成する。
【００７５】
データ処理部２３０は、眼底像とＯＣＴ画像との位置合わせを行うことができる。眼底像とＯＣＴ画像とが並行して取得される場合には、双方の光学系が同軸であることから、（ほぼ）同時に取得された眼底像とＯＣＴ画像とを、撮影光学系３０の光軸を基準として位置合わせすることができる。また、眼底像とＯＣＴ画像との取得タイミングに関わらず、ＯＣＴ画像のうち眼底Ｅｆの相当する画像領域の少なくとも一部をｘｙ平面に投影して得られる正面画像と、眼底像との位置合わせをすることにより、そのＯＣＴ画像とその眼底像とを位置合わせすることも可能である。この位置合わせ手法は、眼底像取得用の光学系とＯＣＴ用の光学系とが同軸でない場合においても適用可能である。また、双方の光学系が同軸でない場合であっても、双方の光学系の相対的な位置関係が既知であれば、この相対位置関係を参照して同軸の場合と同様の位置合わせを実行することが可能である。
【００７６】
以上のように機能するデータ処理部２３０は、たとえば、マイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【００７７】
（報知部）
報知部２５０は、制御部２１０（主制御部２１１）からの制御を受け、報知情報を出力する。具体的には、報知部２５０は、監視部２１１１からの出力に基づいて報知を行う（報知情報を出力する）。報知部２５０としては、音声出力部などがある。この場合、報知部２５０は、報知情報として聴覚的情報（警告メッセージ、警告音など）を出力することが可能である。また、報知部２５０の機能が表示部２４１により実現されてもよい。この場合、報知部２５０（表示部２４１）は、報知情報として視覚的情報（文字列情報、画像情報など）を出力することが可能である。
【００７８】
（ユーザインターフェイス）
ユーザインターフェイス２４０には、表示部２４１と操作部２４２とが含まれる。表示部２４１は、前述した演算制御ユニット２００の表示デバイスや表示装置３を含んで構成される。操作部２４２は、前述した演算制御ユニット２００の操作デバイスを含んで構成される。操作部２４２には、眼科撮影装置１の筐体や外部に設けられた各種のボタンやキーが含まれていてもよい。また、表示部２４１は、眼底カメラユニット２の筺体に設けられたタッチパネルなどの各種表示デバイスを含んでいてもよい。
【００７９】
なお、表示部２４１と操作部２４２は、それぞれ個別のデバイスとして構成される必要はない。たとえばタッチパネルのように、表示機能と操作機能とが一体化されたデバイスを用いることも可能である。その場合、操作部２４２は、このタッチパネルとコンピュータプログラムとを含んで構成される。操作部２４２に対する操作内容は、電気信号として制御部２１０に入力される。また、表示部２４１に表示されたグラフィカルユーザインターフェイス（ＧＵＩ）と、操作部２４２とを用いて、操作や情報入力を行うようにしてもよい。
【００８０】
ＯＣＴユニット１００、コリメータレンズユニット４０、波長分割部材４７、検出部４８、光路長変更部４１、光スキャナ４２、合焦レンズ４３、ミラー４４、およびリレーレンズ４５は、この実施形態に係る「干渉光学系」の一例である。
【００８１】
（波長分割部材）
波長分割部材４７は、光源ユニット１０１から出力された光Ｌ０を分岐することにより得られた測定光ＬＳのうち画像形成処理に供される第１波長帯の測定光と、第１波長帯以外の第２波長帯の測定光とに分割する。
【００８２】
図５に、光源ユニット１０１の波長掃引型光源から出力された光Ｌ０の光量を模式的に示す。図５は、横軸に時間を表し、縦軸に光量を表している。波長掃引型光源は、所定の波長λ０〜λＮの波長範囲の波長帯ＷＬ０で出力波長が時間の経過とともに変化する光Ｌ０を出力する。上記のように光源ユニット１０１は波長掃引型光源から出力された光Ｌ０に基づき光学的にクロックＫＣを生成するため、波長帯ＷＬ０のうちクロックＫＣの周波数が安定する波長λ１〜λ２（λ０＜λ１＜λ２＜λＮ）の波長範囲の波長帯ＷＬ１（すなわち、第１波長帯）の測定光が画像形成部２２０による画像形成処理に供される。この実施形態では、波長帯ＷＬ１は、干渉光ＬＣの検出結果に基づくスペクトル分布に対するサンプリング範囲に基づきあらかじめ設定される。波長分割部材４７は、図２の構成により、コリメータレンズユニット４０からの測定光ＬＳを、波長λ１〜λ２の波長範囲の波長帯ＷＬ１（第１波長帯）の測定光と、波長λ１未満の波長範囲の波長帯ＷＬ２および波長λ２を超える波長範囲の波長帯ＷＬ３（第２波長帯）の測定光とに分割する。眼科撮影装置１は、波長帯ＷＬ１の測定光を用いてＯＣＴ計測を行う。波長分割部材４７により分割された波長帯ＷＬ１以外の波長帯ＷＬ２、ＷＬ３（すなわち、第２波長帯）の測定光（図５の面積Ｒ１、Ｒ２に対応した光量）は画像形成処理に供されることなく、検出部４８により検出される。
【００８３】
眼科撮影装置１は、画像形成部２２０による画像形成処理に供される波長帯ＷＬ１の測定光を既定値の光量以下で被検眼Ｅに入射する。既定値は、眼科撮影装置１を構成する光学部材や制御内容や被検眼の安全性などを考慮して事前に決められる。また、眼科撮影装置１は、画像形成処理に供される波長帯ＷＬ１以外の波長帯ＷＬ２、ＷＬ３の測定光の光量を監視し、その監視結果に基づいて報知を行うことができる。これにより、被検眼の安全性を確保しつつ、図４の面積Ｒ１、Ｒ２に対応した光量分だけ光量を増加させた光Ｌ０を光源ユニット１０１から出力することで、図４の面積Ｒ３に対応する光量分だけ測定光の光量を増加させることができる。このように、画像形成処理に供されない光量を活用することで、被検眼の安全性を確保しつつ、眼科撮影装置１により取得された画像の画質を向上させることが可能になる。
【００８４】
このような波長分割部材４７は、次のような位置に配置されることが望ましい。
【００８５】
図６に、この実施形態における波長分割部材４７の配置位置の説明図を模式的に示す。図６では、一部の光学部材の図示が省略されている。また、図６において、図１または図３と同様の部分には同一符号を付し、適宜説明を省略する。
【００８６】
この実施形態では、波長分割部材４７は、たとえば、測定光ＬＳと参照光ＬＲとの分割位置から、波長掃引型光源に含まれるレーザ光源の共振器の共振器長の整数倍または半整数倍だけ光学的に離れた位置と異なる測定光の光路上の位置に配置される。測定光ＬＳと参照光ＬＲとの分割位置は、たとえば、ファイバカプラ１０５から測定光ＬＳが出射される出射端の位置である。
【００８７】
より具体的には、測定光ＬＳと参照光ＬＲとの分割位置から波長分割部材４７の前面（光源ユニット１０１側の面）までの光学的な距離をＬとし、測定光ＬＳと参照光ＬＲとの分割位置から波長分割部材４７の後面（光スキャナ４２側の面）までの光学的な距離をＬ´とし、波長掃引型光源に含まれるレーザ光源の共振器の共振器長をＣＬとし、１以上の整数をｎとすると、波長分割部材４７は、式（１）、式（２）を満たす測定光の光路上の位置に配置される。
【００８８】
【数１】
0006431400.tif 000002
【００８９】
【数２】
0006431400.tif 000003
【００９０】
式（１）、式（２）を満たす測定光の光路上の位置に波長分割部材４７を配置することにより、コヒーレンスリバイバル現象を回避し、眼科撮影装置１により取得された画像の画質の劣化を抑えることができる。
【００９１】
また、波長分割部材４７は、図１に示すように、光スキャナ４２より光源ユニット１０１側に配置される。こうすることにより、光スキャナ４２によるスキャン範囲内の測定光について波長選択を行う必要がなくなり、波長分割部材４７のサイズを小さくすることが可能になる。
【００９２】
また、波長分割部材４７は、図１に示すように、干渉光学系により光が平行光として導かれる光路上の位置に配置される。また、当該位置は、対物レンズ２２等の光学素子により決まる瞳位置とすることが可能である。こうすることにより、結像位置での光学的な収差を最小限に抑えることが可能になる。
【００９３】
また、波長分割部材４７は、測定光の光路上において、被検眼Ｅの瞳孔と光学的な共役な位置と異なる位置に配置される。こうすることにより、戻り光のノイズを低減することが可能になる。
【００９４】
また、波長分割部材４７により分割される測定光の第１波長帯および第２波長帯の少なくとも一方は、変更可能に構成されていてもよい。たとえば、波長分割部材４７は、互いに波長分割特性が異なる複数の波長分割部材を備え、複数の波長分割部材を択一的に測定光の光路に挿入可能に構成される。主制御部２１１は、複数の波長分割部材のいずれかを測定光の光路に挿入させることにより、波長分割部材４７により分割される測定光の第１波長帯および第２波長帯の少なくとも一方を変更することができる。
【００９５】
このように、波長分割部材４７により分割される測定光の第１波長帯および第２波長帯の少なくとも一方を変更可能に構成することにより、波長掃引型光源の出力波長の誤差があった場合でも、被検眼の安全性の確保と測定光の光量増加による画質の向上とを図ることが可能になる。
【００９６】
［動作例］
眼科撮影装置１の動作について説明する。
【００９７】
図７に、眼科撮影装置１の動作例のフロー図を示す。この動作例には、画像に基づく被検眼Ｅと装置光学系との位置合わせの処理と、画像に基づく走査領域の設定処理とが含まれる。位置合わせの処理には、ＯＣＴ計測のためのアライメント（オートアライメント）、ピント合わせ（オートフォーカス）、トラッキング（オートトラッキング）が含まれる。
【００９８】
（Ｓ１）
まず、観察光源１１からの照明光（可視カットフィルタ１４により近赤外光となる）で眼底Ｅｆを連続照明することにより、眼底Ｅｆの近赤外動画像の取得を開始する。この近赤外動画像は、連続照明が終了するまでリアルタイムで得られる。この動画像を構成する各フレームの画像は、フレームメモリ（記憶部２１２）に一時記憶され、データ処理部２３０に逐次送られる。
【００９９】
なお、被検眼Ｅには、アライメント光学系５０によるアライメント指標と、フォーカス光学系６０によるスプリット指標とが投影されている。よって、近赤外動画像にはアライメント指標とスプリット指標とが描出されている。これら指標を用いてアライメントやピント合わせを行うことができる。また、被検眼Ｅには、ＬＣＤ３９による固視標も投影されている。被検者は、この固視標を凝視するように指示を受ける。
【０１００】
（Ｓ２）
データ処理部２３０は、光学系によって被検眼Ｅを動画撮影することにより得られるフレームを逐次に解析して、アライメント視標の位置を求め、光学系の移動量を算出する。制御部２１０は、データ処理部２３０により算出された光学系の移動量に基づいて図示しない光学系駆動部を制御することにより、オートアライメントを行う。
【０１０１】
（Ｓ３）
データ処理部２３０は、光学系によって被検眼Ｅを動画撮影することにより得られるフレームを逐次に解析して、スプリット視標の位置を求め、合焦レンズ３１の移動量を算出する。制御部２１０は、データ処理部２３０により算出された合焦レンズ３１の移動量に基づいて撮影合焦駆動部３１Ａを制御することにより、オートフォーカスを行う。
【０１０２】
（Ｓ４）
続いて、制御部２１０は、オートトラッキングを開始する。具体的には、データ処理部２３０は、光学系によって被検眼Ｅを動画撮影することにより逐次に得られるフレームをリアルタイムで解析して、被検眼Ｅの動き（位置の変化）を監視する。制御部２１０は、逐次に取得される被検眼Ｅの位置に合わせて光学系を移動させるように図示しない光学系駆動部を制御する。それにより、被検眼Ｅの動きに対して光学系をリアルタイムで追従させることができ、アライメントとピントが合った好適な位置関係を維持することが可能となる。
【０１０３】
（Ｓ５）
制御部２１０は、近赤外動画像を表示部２４１にリアルタイムで表示させる。ユーザは、操作部２４２を用いることにより、この近赤外動画像上に走査領域を設定する。設定される走査領域は１次元領域でも２次元領域でもよい。
【０１０４】
なお、測定光ＬＳの走査態様や注目部位（視神経乳頭、黄斑部、病変部等）があらかじめ設定されている場合などには、これら設定内容に基づいて制御部２１０が走査領域を設定するように構成することも可能である。具体的には、データ処理部２３０による画像解析により注目部位を特定し、制御部２１０が、この注目部位を含むように（たとえば、この注目部位が中心に位置するように）所定パターンの領域を設定する。
【０１０５】
また、過去に実施されたＯＣＴ計測と同じ走査領域を設定する場合（いわゆるフォローアップ）、制御部２１０は、この過去の走査領域をリアルタイム近赤外動画像上に再現して設定することができる。その具体例として、制御部２１０は、過去の検査で設定された走査領域を表す情報（走査態様等）と、この走査領域が設定された近赤外眼底像（静止画、たとえばフレームでよい）とを対応付けて記憶部２１２に記憶させている（実用上は、患者ＩＤや左右眼情報とも対応付けられる）。制御部２１０は、過去の近赤外眼底像と現在の近赤外動画像のフレームとの位置合わせを行い、過去の近赤外眼底像における走査領域に対応する現在の近赤外動画像中の画像領域を特定する。これにより、過去の検査で適用された走査領域が現在の近赤外動画像に対して設定される。
【０１０６】
（Ｓ６）
検出部４８は、波長分割部材４７により分割された第２波長帯の測定光の光量を検出する。監視部２１１１は、検出部４８により検出された第２波長帯の測定光の光量と所定の閾値とを比較する。
【０１０７】
（Ｓ７）
監視部２１１１において第２波長帯の測定光の光量が所定の閾値未満であると判別されたとき（Ｓ７：Ｙ）、眼科撮影装置１の動作は、Ｓ８に移行する。監視部２１１１において第２波長帯の測定光の光量が所定の閾値以上であると判別されたとき（Ｓ７：Ｎ）、眼科撮影装置１の動作は、Ｓ９に移行する。
【０１０８】
（Ｓ８）
監視部２１１１において第２波長帯の測定光の光量が所定の閾値未満であると判別されたとき（Ｓ７：Ｙ）、制御部２１０は、光源ユニット１０１や光路長変更部４１を制御するとともに、Ｓ５で設定された走査領域に基づいて光スキャナ４２を制御することにより、眼底ＥｆのＯＣＴ計測を行う。
【０１０９】
画像形成部２２０は、上記のようにクロックＫＣに基づいて、検出器１５０により得られた検出信号をサンプリングすることにより得られた収集データに基づいて、当該Ａラインの断層像（画像）を形成する。走査態様が３次元スキャンである場合、データ処理部２３０は、画像形成部２２０により形成された複数の断層像に基づいて眼底Ｅｆの３次元画像を形成する。以上で、この動作例は終了となる（エンド）。
【０１１０】
（Ｓ９）
監視部２１１１において第２波長帯の測定光の光量が所定の閾値以上であると判別されたとき（Ｓ７：Ｎ）、制御部２１０（主制御部２１１）は、報知部２５０に報知情報の出力、および被検眼Ｅに対する測定光の入射の停止のうち少なくとも一方を行う。その後、眼科撮影装置１の動作は終了となる（エンド）。
【０１１１】
なお、Ｓ６、Ｓ７、Ｓ９に示す監視部２１１１の監視結果に基づく制御部２１０の制御は、Ｓ１〜Ｓ５のいずれかで行われてもよい。
【０１１２】
また、上記のＳ４、Ｓ５の順序を入れ替えてもよい。また、上記のＳ４、Ｓ５では、近赤外動画像を表示させ、この近赤外動画像上に走査領域を設定しているが、走査領域の設定態様はこれに限定されるものではない。たとえば、近赤外動画像における一のフレームの画像（基準画像と呼ぶ）を表示させるとともに、そのバックグラウンドでオートトラッキングを実行する。基準画像上に走査領域が設定されると、制御部２１０は、基準画像と、現にオートトラッキングに供されている画像との間の位置合わせを行うことにより、基準画像上に設定された走査領域に対応するリアルタイム近赤外動画像中の画像領域を特定する。この処理によっても上記Ｓ４、Ｓ５と同様にリアルタイム近赤外動画像中に走査領域を設定できる。さらに、この方法によれば、静止画像上に走査領域を設定することができるので、現にオートトラッキングされている動画像上に設定する場合よりも作業の容易化や確実化を図ることができる。
【０１１３】
なお、上記の実施形態は、眼科撮影装置に限定されることなく眼科装置に適用することが可能である。この場合、監視部は、光源からの光の光量や偏光状態などを監視するようにしてもよい。すなわち、眼科装置は、光源からの光を被検眼に入射させ、被検眼からの戻り光を検出する光学系と、光学系による戻り光の検出結果に基づいて被検眼に関する情報（たとえば、画像）を生成する情報生成部とを含むことが可能である。この光学系は、光源からの光を、情報生成部による情報生成処理に供される第１波長帯の光と、第１波長帯以外の第２波長帯の光とに分割するための波長分割部材を含み、第１波長帯のみを含む光を被検眼に入射させる。眼科装置は、第２波長帯の光を監視する監視部を含む。
【０１１４】
［作用・効果］
この実施形態に係る眼科撮影装置のいくつかの作用および効果について説明する。
【０１１５】
実施形態の眼科撮影装置は、干渉光学系（たとえば、ＯＣＴユニット１００、コリメータレンズユニット４０、波長分割部材４７、検出部４８、光路長変更部４１、光スキャナ４２、合焦レンズ４３、ミラー４４、およびリレーレンズ４５）と、画像形成部（たとえば、画像形成部２２０）とを含む。干渉光学系は、光源（たとえば、光源ユニット１０１の波長掃引型光源）からの光（たとえば、光Ｌ０）を測定光（たとえば、測定光ＬＳ）と参照光（たとえば、参照光ＬＲ）とに分割し、測定光を被検眼（たとえば、被検眼Ｅ）に入射させ、被検眼からの測定光の戻り光と参照光との干渉光（たとえば、干渉光ＬＣ）を検出する。画像形成部は、干渉光学系による干渉光の検出結果に基づいて被検眼の画像を形成する。干渉光学系は、波長分割部材（たとえば、波長分割部材４７）を含む。波長分割部材は、光源からの光または測定光を、画像形成部による画像形成処理に供される第１波長帯（たとえば、波長帯ＷＬ１）の測定光と、第１波長帯以外の第２波長帯（たとえば、波長帯ＷＬ２、ＷＬ３）の測定光とに分割するために用いられる。眼科撮影装置は、第１波長帯のみを含む測定光を被検眼に入射させ、第２波長帯の測定光の光量を監視する監視部（たとえば、監視部２１１１）を含む。
【０１１６】
このような構成によれば、測定光を画像形成部による画像形成処理に供される第１波長帯の測定光とそれ以外の第２波長帯の測定光とに分割し、第２波長帯の測定光の光量を監視するとともに第１波長帯の測定光を被検眼に入射させることにより、被検眼の安全性を確保しつつ、被検眼に入射する測定光の光量を、画像形成処理に供されない波長帯の測定光の光量分だけ増加させることが可能になる。これにより、被検眼の安全性を確保しつつ、眼科撮影装置により取得された画像の画質を向上させることが可能になる。
【０１１７】
また、監視部からの出力に基づいて報知を行う報知部（たとえば、報知部２５０）を含んでもよい。
【０１１８】
このような構成によれば、被検眼に入射する測定光の光量に基づく安全性に関する報知を被検者に対して行うことができ、被検眼の安全性を確保することが可能になる。
【０１１９】
また、監視部からの出力に基づいて被検眼に対する測定光の入射を停止させる制御部（たとえば、制御部２１０または主制御部２１１）を含んでもよい。
【０１２０】
このような構成によれば、被検眼の安全性を担保することが可能になる。
【０１２１】
また、監視部からの出力に基づいて光源を制御する制御部を含んでもよい。
【０１２２】
このような構成によれば、光源を制御することにより、被検眼に測定光の入射を停止させたり、測定光の光量を調整することができるので、被検眼の安全性を確保しつつ、眼科撮影装置により取得された画像の画質を向上させることが可能になる。
【０１２３】
また、実施形態の眼科装置（たとえば、眼科撮影装置１）は、光学系と、情報生成部とを含む。光学系（たとえば、ＯＣＴユニット１００、コリメータレンズユニット４０、波長分割部材４７、検出部４８、光路長変更部４１、光スキャナ４２、合焦レンズ４３、ミラー４４、およびリレーレンズ４５）は、光源（たとえば、光源ユニット１０１の波長掃引型光源）からの光（たとえば、測定光）を被検眼（たとえば、被検眼Ｅ）に入射させ、被検眼からの戻り光を検出する。情報生成部（たとえば、画像形成部２２０）は、光学系による戻り光の検出結果に基づいて被検眼に関する情報（たとえば、画像）を生成する。光学系は、光源からの光を、情報生成部による情報生成処理（たとえば、画像形成処理）に供される第１波長帯（たとえば、波長帯ＷＬ１）の光と、第１波長帯以外の第２波長帯（たとえば、波長帯ＷＬ２、ＷＬ３）の光とに分割するための波長分割部材（たとえば、波長分割部材４７）を含み、第１波長帯のみを含む光を被検眼に入射させる。眼科装置は、第２波長帯の光を監視する監視部（たとえば、監視部２１１１）を含む。
【０１２４】
このような構成によれば、光源からの光を情報生成部による情報生成処理に供される第１波長帯の光とそれ以外の第２波長帯の光とに分割し、第２波長帯の光の光量を監視するとともに第１波長帯の光を被検眼に入射させることにより、被検眼の安全性を確保しつつ、被検眼に入射する光の光量を、情報生成処理に供されない波長帯の光の光量分だけ増加させることが可能になる。これにより、被検眼の安全性を確保しつつ、眼科装置において生成された情報の質を向上させることが可能になる。
【０１２５】
（変形例）
眼科撮影装置１が複数の動作モードを有し、動作モードに応じた波長帯の測定光を被検眼Ｅに入射することによりＯＣＴ計測を行う場合、波長分割部材４７により分割される第１波長帯および第２波長帯は、当該動作モードに応じて変更可能であってもよい。
【０１２６】
本変形例に係る眼科撮影装置の構成および動作は、本実施形態に係る眼科撮影装置１の構成および動作とほぼ同様である。以下では、本変形例に係る眼科撮影装置について、本実施形態との相違点を中心に説明する。
【０１２７】
図８に、本変形例に係る眼科撮影装置の制御系のブロック図の一例を示す。図８において、図４と同様の部分には同一符号を付し、適宜説明を省略する。本変形例に係る眼科撮影装置の制御系の構成が本実施形態に係る眼科撮影装置１の制御系の構成と異なる主な点は、主制御部２１１にモード切替部２１１２が設けられた点である。
【０１２８】
本変形例に係る眼科撮影装置は、ＯＣＴユニット１００（干渉光学系）および画像形成部２２０の少なくとも一方の動作内容が異なる複数の動作モードのいずれかでＯＣＴ計測を行い、切り替えられた動作モードで行われたＯＣＴ計測により被検眼Ｅの画像を取得することが可能である。モード切替部２１１２は、操作部２４２に対するユーザの操作を受け、複数の動作モードを切り替える。このような複数の動作モードには、撮影部位に応じた撮影モード、病変に応じた検査モード、スキャンパターンに応じた撮影モード、取得された画像に対する解析内容に応じた動作モード、ＯＣＴ計測により得られた結果の出力態様に応じた動作モードなどがある。
【０１２９】
本変形例に係る眼科撮影装置は、たとえば、撮影部位に応じた撮影モードとして、前眼部を撮影するための前眼部撮影モードと眼底を撮影するための眼底撮影モードのいずれかに切り替えることができるものとする。前眼部撮影モードでは、中心波長λａの前眼部撮影波長帯の測定光によりＯＣＴ計測が行われ、眼底撮影モードでは、中心波長λｂ（λａ＞λｂ）の眼底撮影波長帯の測定光によりＯＣＴ計測が行われる。また、撮影モードに応じて発振波長帯域内のデータのサンプリング点数とサンプリング間隔とが変更され、断層像の表示領域が変更される。
【０１３０】
主制御部２１１は、モード切替部２１１２により切り替えられた動作モードに応じて、波長分割部材４７により分割される測定光の第１波長帯および第２波長帯のうち少なくとも１つを変更する。具体的には、モード切替部２１１２により前眼部撮影モードに切り替えられたとき、主制御部２１１は、第１波長帯が前眼部撮影波長帯となるように第１波長帯および第２波長帯が変更されるように波長分割部材４７を制御する。また、モード切替部２１１２により眼底撮影モードに切り替えられたとき、主制御部２１１は、第１波長帯が眼底撮影波長帯となるように第１波長帯および第２波長帯が変更されるように波長分割部材４７を制御する。波長分割部材４７は、上記したように第１の波長帯及び第２波長帯の変更が可能である。
【０１３１】
また、光源ユニット１０１が第１波長帯および第２波長帯の光を出射可能な１以上の光源（波長掃引型光源）を備え、主制御部２１１は、波長分割部材４７により分割された第１波長帯（または第２波長帯）の変更に応じて、光源ユニット１０１の光源の出力波長帯を変更するようにしてもよい。この場合、主制御部２１１は、１つの波長掃引型光源から出射する光の波長帯を変更するようにしてもよいし、互いに出力波長帯が異なる複数の波長掃引型光源を切り替えるようにしてもよい。
【０１３２】
（その他の変形例）
実施形態における波長分割部材４７は、図２に示す構成に限定されず、他の構成であってもよい。
【０１３３】
また、波長掃引波長範囲（図５の波長帯ＷＬ０に相当）の一端と画像形成処理に供される波長範囲（図５の波長帯ＷＬ１に相当）の一端とが実質的に一致する場合には、実施形態に係る波長分割部材４７は、ハイパスフィルタ若しくはローパスフィルタ、または単一のダイクロイックミラーにより構成されていてもよい。波長分割部材４７は、画像形成処理に供される第１波長帯の測定光と、第１波長帯以外の第２波長帯の測定光とに分割する作用を達成するものであればその具体的構成を問わない。
【０１３４】
以上に説明した構成は、この発明を好適に実施するための一例に過ぎない。よって、この発明の要旨の範囲内における任意の変形（省略、置換、付加等）を適宜に施すことが可能である。適用される構成は、たとえば目的に応じて選択される。また、適用される構成に応じ、当業者にとって自明の作用効果や、本明細書において説明された作用効果が得られる。
【符号の説明】
【０１３５】
１  眼科撮影装置
２  眼底カメラユニット
４２  光スキャナ
４７  波長分割部材
４７１  第１波長選択部材
４７２  第２波長選択部材
４８  検出部
４８１  第１光検出器
４８２  第２光検出器
１００  ＯＣＴユニット
２００  演算制御ユニット
２１０  制御部
２１１  主制御部
２１１１  監視部
２１１２  モード切替部
２１２  記憶部
２２０  画像形成部
２３０  データ処理部
２４０  ユーザインターフェイス
２４１  表示部
２４２  操作部
２５０  報知部
Ｅ  被検眼
【図１】
0006431400.tif 000004
【図２】
0006431400.tif 000005
【図３】
0006431400.tif 000006
【図４】
0006431400.tif 000007
【図５】
0006431400.tif 000008
【図６】
0006431400.tif 000009
【図７】
0006431400.tif 000010
【図８】
0006431400.tif 000011